【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
ゴルフ・クラブ・ヘッドであって、
ストライクフェース、および、前記ストライクフェースの反対側のバックフェースを含むストライクプレートと、
前記ストライクプレートに連結されているソールであって、外側ソール表面、前記外側ソール表面の反対側の内側ソール表面、ソール・フロント・セクション、および、ソール・リア・セクションを含む、ソールと、
ポート構造部であって、前記バックフェースおよび前記ソールによって画定されており、前記ポート構造部のポート周囲部の中にチューニング・エレメントを受け入れるように構成されている、ポート構造部と、を備え、
前記ポート構造部は、
前記バックフェースにあるポート・ベースであって、前記ポート周囲部によって限界を定められている、ポート・ベースと、
前記バックフェースから突出されているポート・リブ壁部であって、前記ポート周囲部に沿って、前記ポート・ベースの上側セクションの境界を定めている、ポート・リブ壁部と、
前記ソールの中へ延在するポート・トレンチと、を含み、
前記ポート・トレンチは、
前記ストライクプレートの前記バックフェースにおいて、前記ポート・ベースの下側セクションによって画定されているトレンチ・フロント壁部と、
前記ソール・フロント・セクションにあるトレンチ・ボトム壁部であって、前記トレンチ・フロント壁部に連結されており、前記ポート周囲部に沿って、前記ポート・ベースの前記下側セクションの境界を定めている、トレンチ・ボトム壁部と、
前記トレンチ・フロント壁部の反対側の前記トレンチ・ボトム壁部に連結されているトレンチ・リア壁部であって、前記ソール・フロント・セクションと前記ソール・リア・セクションとの間で、前記ソールをさらに分割している、トレンチ・リア壁部と、
前記トレンチ・ボトム壁部と前記トレンチ・リア壁部のトップ・エンドとの間で、おおよそ０．７５ｍｍからおおよそ６．０ｍｍのポート・トレンチ高さと、
前記トレンチ・フロント壁部と前記トレンチ・リア壁部の前記トップ・エンドとの間で、おおよそ５．０ｍｍからおおよそ１８ｍｍのポート・トレンチ・トップ幅と、を含み、
前記トレンチ・ボトム壁部は、前記トレンチ・リア壁部のトップ・エンドよりも前記外側ソール表面により近い、ゴルフ・クラブ・ヘッド。
【請求項２】
前記ストライクプレートが、
前記ポート・リブ壁部の上方において、前記ストライクフェースと前記バックフェースとの間の第１の厚さと、
前記ポート・リブ壁部の下方において、前記ストライクフェースと前記ポート・ベースとの間の第２の厚さと、を含み、
前記第２の厚さが、前記第１の厚さよりも大きい、請求項１に記載のゴルフ・クラブ・ヘッド。
【請求項３】
前記ストライクフェースによって画定されるロフト平面をさらに含み、
前記ポート・リブ壁部が、前記ロフト平面に対して実質的に非直交である、請求項１または２に記載のゴルフ・クラブ・ヘッド。
【請求項４】
ロフト直交軸線が、前記ロフト平面に対して直交して延在し、前記バックフェースと前記ポート・リブ壁部との間の接合部と交差しており、
前記ポート・リブ壁部から前記ロフト直交軸線へのポート・リブ角が、おおよそ１０度からおおよそ４０度である、請求項３に記載のゴルフ・クラブ・ヘッド。
【請求項５】
前記ポート・リブ角が、おおよそ２５度である、請求項４に記載のゴルフ・クラブ・ヘッド。
【請求項６】
前記ゴルフ・クラブ・ヘッドが、グランド平面の上でアドレスの位置にあるときに、
（ｉ）前記ポート・リブ壁部が、前記グランド平面に対して実質的に平行である状態の±３５度以内にあること、
（ｉｉ）前記ポート・リブ壁部が、ターゲット・インパクト・ヘッド方向に対して実質的に平行であること、のうちの少なくとも１つであり、
前記ターゲット・インパクト・ヘッド方向が、
前記グランド平面に対しておおよそ−４５度からおおよそゼロ度のダウンスイング方向角、または、
前記グランド平面に対しておおよそゼロ度からおおよそ１５度のアップスイング方向角、のうちの少なくとも１つを含む、請求項１から５のいずれか一項に記載のゴルフ・クラブ・ヘッド。
【請求項７】
前記ソールが、
前記ソール・フロント・セクションにおいて、前記外側ソール表面と前記トレンチ・ボトム壁部との間で測定されるソール・トレンチ厚さと、
前記ソール・リア・セクションにおいて、前記外側ソール表面と前記内側ソール表面との間で測定されるソール最大厚さと、を含み、
少なくとも、
前記ソール・トレンチ厚さが、おおよそ１．０ｍｍからおおよそ５．１ｍｍであり、かつ、前記ソール最大厚さが、おおよそ２．５ｍｍからおおよそ１１ｍｍであること、または、
前記ソール最大厚さが、前記ソール・トレンチ厚さよりも少なくとも１２５％大きいこと、のうちの１つである、請求項１から６のいずれか一項に記載のゴルフ・クラブ・ヘッド。
【請求項８】
前記ストライクフェースが、ストライクフェース中心点を含み、
前記バックフェースが、前記ストライクフェース中心点の反対側のバックフェース中心点を含み、
前記ポート・リブ壁部が、前記バックフェースに沿って、前記バックフェース中心点の６ｍｍ以内に延在している、請求項１から７のいずれか一項に記載のゴルフ・クラブ・ヘッド。
【請求項９】
前記トレンチ・リア壁部が、前記トレンチ・フロント壁部に対して非平行である、請求項１から８のいずれか一項に記載のゴルフ・クラブ・ヘッド。
【請求項１０】
前記ポート・トレンチが、
前記トレンチ・ボトム壁部と前記トレンチ・フロント壁部との間のボトム・フロント角と、
前記トレンチ・ボトム壁部と前記トレンチ・リア壁部との間のボトム・リア角と、を含み、
前記ボトム・リア角が、前記フロント・ボトム角よりも大きい、請求項１から９のいずれか一項に記載のゴルフ・クラブ・ヘッド。
【請求項１１】
前記ポート・トレンチが、おおよそ０．５ｃｃからおおよそ８ｃｃのポート・トレンチ体積を備えており、
おおよそ１グラムからおおよそ１５グラムの解放される質量が、再分配または排除のために前記ポート構造部によって解放されており、
前記解放された質量が、前記ポート・トレンチ体積によって定義されるトレンチ解放された質量、および、前記ソールの材料のソール密度を備える、請求項１から１０のいずれか一項に記載のゴルフ・クラブ・ヘッド。
【請求項１２】
前記ソールが、おおよそ１６ｍｍからおおよそ３３ｍｍのソール深さを備える、請求項１から１１のいずれか一項に記載のゴルフ・クラブ・ヘッド。
【請求項１３】
前記チューニング・エレメントをさらに含み、
前記チューニング・エレメントが、前記ポート・ベースに対して着座させられ、前記ポート・リブ壁部によって拘束されているとき、少なくとも前記トレンチ・リア壁部の大部分が、前記チューニング・エレメントから切り離されている、請求項１から１２のいずれか一項に記載のゴルフ・クラブ・ヘッド。
【請求項１４】
前記チューニング・エレメントをさらに含み、
前記チューニング・エレメントは、
チューニング・エレメント・トップ・エンドと、
チューニング・エレメント・ボトム・エンドと、を含み、
前記ポート・リブ壁部は、
前記ゴルフ・クラブ・ヘッドの後ろに向かうポート・リブ壁部リア・エンド、を含み、
前記ポート・トレンチが、挿入軸線を画定しており、前記挿入軸線に沿って、前記チューニング・エレメントが、前記ポート・リブ壁部によって遮られずに前記ポート・トレンチの中へ挿入され得、
前記挿入軸線は、前記トレンチ・ボトム壁部から延在しており、前記ポート・リブ壁部または前記トレンチ・リア壁部を横断することなく、前記ポート・リブ壁部を通り過ぎ、
前記チューニング・エレメントが、前記挿入軸線に沿って枢動位置へ挿入可能であり、
前記枢動位置においては、
前記チューニング・エレメント・ボトム・エンドが、前記トレンチ・ボトム壁部に到達しており、
前記チューニング・エレメント・トップ・エンドが、前記ポート・リブ壁部リア・エンドよりも前記ソールにより近い、請求項１から１２のいずれか一項に記載のゴルフ・クラブ・ヘッド。
【請求項１５】
前記チューニング・エレメントが前記枢動位置にあるときに、
前記チューニング・エレメントが、前記トレンチ・ボトム壁部に沿って、固定位置に枢動可能であり、
前記固定位置においては、
前記チューニング・エレメントのチューニング・エレメント・フロント・エンドが、前記ポート・ベースに接触しており、
前記チューニング・エレメント・トップ・エンドが、前記ポート・リブ壁部によって拘束されている、請求項１４に記載のゴルフ・クラブ・ヘッド。
【請求項１６】
ゴルフ・クラブ・ヘッドであって、
ストライクフェース、および、前記ストライクフェースの反対側のバックフェースを含むストライクプレートと、
前記ストライクフェースによって画定されるロフト平面と、
前記ストライクプレートに連結されているソールであって、外側ソール表面、前記外側ソール表面の反対側の内側ソール表面、ソール・フロント・セクション、および、ソール・リア・セクションを含む、ソールと、
チューニング・エレメントと、
ポート構造部であって、前記バックフェースおよび前記ソールによって画定されており、前記ポート構造部のポート周囲部の中に前記チューニング・エレメントを受け入れるように構成されている、ポート構造部と、を備え、
前記ポート・リブ壁部は、前記ロフト平面に対して実質的に非直交であり、
前記ストライクフェースは、ストライクフェース中心点を備えており、
前記バックフェースは、前記ストライクフェース中心点の反対側のバックフェース中心点を備えており、
前記ポート・リブ壁部は、前記バックフェースに沿って、前記バックフェース中心点の６ｍｍ以内に延在しており、
前記ポート構造部は、
前記バックフェースにあるポート・ベースであって、前記ポート周囲部によって限界を定められている、ポート・ベースと、
前記バックフェースから突出されているポート・リブ壁部であって、前記ポート周囲部に沿って、前記ポート・ベースの上側セクションの境界を定めている、ポート・リブ壁部と、
前記ソールの中へ延在するポート・トレンチと、を含み、
前記ポート・トレンチは、
前記ストライクプレートの前記バックフェースにおいて、前記ポート・ベースの下側セクションによって画定されているトレンチ・フロント壁部と、
前記ソール・フロント・セクションにあるトレンチ・ボトム壁部であって、前記トレンチ・フロント壁部に連結されており、前記ポート周囲部に沿って、前記ポート・ベースの前記下側セクションの境界を定めている、トレンチ・ボトム壁部と、
前記トレンチ・フロント壁部の反対側の前記トレンチ・ボトム壁部に連結されているトレンチ・リア壁部であって、前記ソール・フロント・セクションと前記ソール・リア・セクションとの間で、前記ソールをさらに分割している、トレンチ・リア壁部と、を含み、
前記ゴルフ・クラブ・ヘッドがグランド表面に対してアドレス位置にあるときに、前記トレンチ・ボトム壁部は、前記内側ソール表面に沿う、前記ソール・リア・セクションの任意の点よりも前記グランド表面に近く、
前記トレンチ・ボトム壁部と前記トレンチ・リア壁部との間のトレンチ・ボトム・リア角は、前記トレンチ・ボトム壁部と前記トレンチ・フロント壁部との間のトレンチ・ボトム・フロント角よりも大きく、
前記チューニング・エレメントが、前記ポート・ベースに対して着座させられ、前記ポート・リブ壁部によって拘束されているとき、少なくとも前記トレンチ・リア壁部の大部分が、前記チューニング・エレメントから切り離されており、
前記チューニング・エレメントは、枢動位置から固定位置へ、前記トレンチ・ボトム壁部に沿って枢動可能であり、
前記固定位置においては、
前記チューニング・エレメントのチューニング・エレメント・フロント・エンドが、前記ポート・ベースに接触しており、
前記チューニング・エレメント・トップ・エンドが、前記ポート・リブ壁部によって境界を定められている、ゴルフ・クラブ・ヘッド。
【請求項１７】
ロフト直交軸線が、前記ロフト平面に対して直交して延在し、前記バックフェースと前記ポート・リブ壁部との間の接合部と交差しており、
前記ポート・リブ壁部から前記ロフト直交軸線へのポート・リブ角が、おおよそ１０度からおおよそ４０度である、請求項１６に記載のゴルフ・クラブ・ヘッド。
【請求項１８】
ゴルフ・クラブ・ヘッドを提供するための方法であって、前記方法は、
ストライクプレートを提供するステップであって、前記ストライクプレートは、
ストライクフェースと、
前記ストライクフェースの反対側のバックフェースと、を含む、ステップと、
前記ストライクプレートに連結されているソールを提供するステップであって、前記ソールは、
外側ソール表面と、
前記外側ソール表面の反対側の内側ソール表面と、
ソール・フロント・セクションと、
ソール・リア・セクションと、を含む、ステップと、
チューニング・エレメントを提供するステップと、
ポート構造部を提供するステップであって、前記ポート構造部は、前記バックフェースおよび前記ソールによって画定されており、前記ポート構造部のポート周囲部の中に前記チューニング・エレメントを受け入れるように構成されている、ステップと、
前記チューニング・エレメントを前記ポート構造部に連結するステップと、を含み、
前記ポート構造部は、
前記バックフェースにあるポート・ベースであって、前記ポート周囲部によって限界を定められている、ポート・ベースと、
前記バックフェースから突出されているポート・リブ壁部であって、前記ポート周囲部に沿って、前記ポート・ベースの上側セクションの境界を定めている、ポート・リブ壁部と、
前記ソールの中へ延在するポート・トレンチと、を含み、
前記ポート・トレンチは、
前記ストライクプレートの前記バックフェースにおいて、前記ポート・ベースの下側セクションによって画定されているトレンチ・フロント壁部と、
前記ソール・フロント・セクションにあるトレンチ・ボトム壁部であって、前記トレンチ・フロント壁部に連結されており、前記ポート周囲部に沿って、前記ポート・ベースの前記下側セクションの境界を定めている、トレンチ・ボトム壁部と、
前記トレンチ・フロント壁部の反対側の前記トレンチ・ボトム壁部に連結されているトレンチ・リア壁部であって、前記ソール・フロント・セクションと前記ソール・リア・セクションとの間で、前記ソールをさらに分割している、トレンチ・リア壁部と、を含み、
前記トレンチ・リア壁部は、前記トレンチ・フロント壁部に対して非平行であり、
前記ポート・リブ壁部は、前記ストライクフェースによって画定されるロフト平面に対して実質的に非直交である、ゴルフ・クラブ・ヘッドを提供するための方法。
【請求項１９】
前記ゴルフ・クラブ・ヘッドが、グランド平面の上でアドレスの位置にあるときに、前記ポート・リブ壁部が、前記グランド平面に対して実質的に平行である状態の±３５度以内にある、請求項１８に記載の方法。
【請求項２０】
前記ソールが、
前記ソール・フロント・セクションにおいて、前記外側ソール表面と前記トレンチ・ボトム壁部との間で測定される、おおよそ１．０ｍｍからおおよそ５．１ｍｍのソール・トレンチ厚さと、
前記ソール・リア・セクションにおいて、前記外側ソール表面と前記内側ソール表面との間で測定される、おおよそ２．５ｍｍからおおよそ１１ｍｍのソール最大厚さと、を含む、請求項１８または１９に記載の方法。
【請求項２１】
前記ストライクフェースが、ストライクフェース中心点を含み、
前記バックフェースが、前記ストライクフェース中心点の反対側のバックフェース中心点を含み、
前記ポート・リブ壁部が、前記バックフェースに沿って、前記バックフェース中心点の６ｍｍ以内に延在している、請求項１８から２０のいずれか一項に記載の方法。
【請求項２２】
前記ポート・トレンチが、挿入軸線を画定しており、前記挿入軸線に沿って、前記チューニング・エレメントが、前記ポート・リブ壁部によって遮られずに前記ポート・トレンチの中へ挿入可能であり、
前記挿入軸線は、前記トレンチ・ボトム壁部から延在しており、前記ポート・リブ壁部または前記トレンチ・リア壁部を横断することなく、前記ポート・リブ壁部を通り過ぎ、
前記チューニング・エレメントを前記ポート構造部に連結するステップが、
前記挿入軸線に沿って枢動位置へ前記チューニング・エレメントを挿入する段階であって、
前記枢動位置においては、
前記チューニング・エレメントのボトム・エンドが、前記トレンチ・ボトム壁部に到達しており、
前記チューニング・エレメントのトップ・エンドが、前記ポート・リブ壁部のリア・エンドよりも前記ソールにより近い、段階と、
前記チューニング・エレメントを前記トレンチ・ボトム壁部に沿って、固定位置に枢動させる段階であって、
前記固定位置においては、
前記チューニング・エレメントのフロント・エンドが、前記ポート・ベースに接触しており、
前記チューニング・エレメントのトップ・エンドが、前記ポート・リブ壁部によって境界を定められている、段階と、を含む、請求項１８から２１のいずれか一項に記載の方法。